(57)【要約】  セグメント化センサ、並びに関連のシステム、方法、及びデバイスが開示される。一実施形態では、静電容量センサは、センサ線の第１のガード、センサ線の第２のグリッド、及びセンサ線の第１のグリッドとセンサ線の第２のグリッドとの間に画定された絶縁領域と、を含む。また、セグメント化センサ、並びに関連のシステム、方法、及びデバイスと動作可能に結合し、タッチを検出するように構成されたタッチコントローラも開示される。一実施形態では、タッチコントローラのコネクタは、セグメント化センサの異なるセグメントからの検知線に動作可能に結合するように構成され、タッチコントローラは、異なるセグメントにおけるタッチを検出するように構成される。【選択図】図１Ａ
2021530772.tif 000002
【特許請求の範囲】
【請求項１】
静電容量検知システムであって、
検知線の行及び検知線の列を含むセグメント化センサと、
前記セグメント化センサに動作可能に結合された１つ以上のタッチコントローラと、を備える、静電容量検知システム。
【請求項２】
前記１つ以上のタッチコントローラのうちの１つのタッチコントローラは、
第１のグループのコネクタ及び第２のグループのコネクタを備え、
前記検知線の列は、前記第１のグループのコネクタに独立して動作可能に結合され、
前記検知線の行のうちの少なくともいくつかは、前記第２のグループのコネクタに並列に動作可能に結合される、請求項１に記載のシステム。
【請求項３】
前記第１のグループのコネクタのうちのいくつかのコネクタは、前記セグメント化センサの第１のセグメントに関連付けられ、前記第１のグループのコネクタのうちの他のコネクタは、前記セグメント化センサの第２のセグメントに関連付けられる、請求項２に記載のシステム。
【請求項４】
前記第２のグループコネクタのうちのいくつかのコネクタは、前記セグメント化センサの前記第１のセグメントに関連付けられ、前記セグメント化センサの前記第２のセグメントに関連付けられる、請求項３に記載のシステム。
【請求項５】
前記第１のセグメントは、前記セグメント化センサの前記検知線の行のうちの検知線の第１の行を含み、
前記第２のセグメントは、前記セグメント化センサの前記検知線の行のうちの検知線の第２の行を含み、
前記検知線の第１の行は、前記検知線の第２の行から電気的に絶縁される、請求項４に記載のシステム。
【請求項６】
前記１つ以上のタッチコントローラのうちの１つのタッチコントローラは、
第１のグループのコネクタ及び第２のグループのコネクタを備え、
前記検知線の行は、前記第１のグループのコネクタに独立して動作可能に結合され、
前記検知線の列のうちの少なくともいくつかは、前記第２のグループのコネクタに並列に動作可能に結合される、請求項１に記載のシステム。
【請求項７】
前記検知線の行及び検知線の列は、タッチセンサに非連続的に結合される、請求項１に記載のシステム。
【請求項８】
前記システムは、相互静電容量検知のために構成される、請求項１に記載のシステム。
【請求項９】
前記システムは、自己静電容量検知のために構成される、請求項１に記載のシステム。
【請求項１０】
静電容量センサであって、
センサ線の第１のガードと、
センサ線の第２のグリッドと、
前記センサ線の第１のグリッドと前記センサ線の第２のグリッドとの間に画定された絶縁領域と、を備える、静電容量センサ。
【請求項１１】
前記絶縁領域の少なくとも一部は、空隙を画定する、請求項１０に記載の静電容量センサ。
【請求項１２】
前記絶縁領域の少なくとも一部は、電気絶縁材料を含む、請求項１０に記載の静電容量センサ。
【請求項１３】
前記第１のグリッドの１つ以上のセンサ線に動作可能に結合された第１のコネクタと、
前記第２のグリッドの１つ以上のセンサ線に動作可能に結合された第２のコネクタと、を更に備える、請求項１０に記載の静電容量センサ。
【請求項１４】
前記センサ線の第１のグリッドは、センサ線の第１の行及びセンサ線の第１の列を含み、前記センサ線の第２のグリッドは、センサ線の第２の行及びセンサ線の第２の列を含む、請求項１０に記載の静電容量センサ。
【請求項１５】
少なくとも前記センサ線の第１の行は、前記センサ線の第２の行から電気的に絶縁される、請求項１４に記載の静電容量センサ。
【請求項１６】
タッチコントローラであって、該タッチコントローラは、
プロセッサと、
非一時的記憶媒体と、を含み、前記非一時的記憶媒体は、前記非一時的記憶媒体に記憶された機械可読命令を有し、前記機械可読命令は、前記プロセッサによって実行されるときに、前記プロセッサが、
１つ以上の検知信号に応答してタッチ位置情報を判定することであって、前記タッチ位置情報が、セグメント化センサにおける位置に対応する、判定することを可能にするように適合される、タッチコントローラ。
【請求項１７】
前記機械可読命令は、前記プロセッサによって実行されるときに、前記プロセッサが、前記セグメント化センサの第１のセグメントに関連付けられた第１の検知信号と、前記セグメント化センサの第２のセグメントに関連付けられた第２の検知信号とを区別することを可能にするように更に適合される、請求項１６に記載のタッチコントローラ。
【請求項１８】
コネクタを更に備え、前記機械可読命令は、前記プロセッサによって実行されるときに、前記プロセッサが、前記コネクタの第１のグループを前記セグメント化センサの第１のセグメントと関連付け、前記コネクタの第２のグループを前記セグメント化センサの第２のセグメントと関連付けることを可能にするように更に適合される、請求項１６に記載のタッチコントローラ。
【請求項１９】
前記機械可読命令は、前記プロセッサによって実行されるときに、前記プロセッサが、第１のグループのコネクタのうちのいくつかのコネクタを、前記セグメント化センサの前記第１のセグメントと前記第２のセグメントの両方と関連付けることを可能にするように更に適合される、請求項１８に記載のタッチコントローラ。
【請求項２０】
前記機械可読命令は、前記プロセッサによって実行されるときに、前記プロセッサが、コネクタ割り当てに応答して、前記１つ以上の検知信号のうちの１つの検知信号を、前記セグメント化センサの第１のセグメント又は前記セグメント化センサの第２のセグメントと関連付けることであって、前記コネクタ割り当ては、前記第１のセグメント又は前記第２のセグメントの検知線に個別に動作可能に結合されるように構成されたコネクタのためのものである、関連付けることを可能にするように更に適合される、請求項１６に記載のタッチコントローラ。
【請求項２１】
前記機械可読命令は、前記プロセッサによって実行されるときに、前記プロセッサが、コネクタ割り当てに応答して、前記１つ以上の検知信号のうちの１つの検知信号を、前記セグメント化センサの第１のセグメント又は前記セグメント化センサの第２のセグメントと関連付けることであって、前記コネクタ割り当ては、前記第１のセグメントの検知線及び前記第２のセグメントの検知線に並列に動作可能に結合されるように構成されたコネクタのためのものである、関連付けることを可能にするように更に適合される、請求項１６に記載のタッチコントローラ。
【請求項２２】
前記機械可読命令は、前記プロセッサによって実行されるときに、前記プロセッサが、前記１つ以上の検知信号に関連付けられた前記セグメント化センサのセグメントに応答して、前記タッチ位置情報を変更することを可能にするように更に適合されている、請求項１６に記載のタッチコントローラ。
【請求項２３】
前記タッチ位置情報を変更することは、
前記タッチ位置情報に関連付けられた前記セグメント化センサのセグメントを判定することと、
前記セグメントに応答してオフセットを判定することと、
前記判定されたオフセットに応答して、調整されたタッチ位置を判定することと、を含む、請求項１６に記載のタッチコントローラ。
【請求項２４】
前記タッチコントローラは、
第１のグループのコネクタ及び第２のグループのコネクタを含み、
前記第１のグループのコネクタは、検知線の列に動作可能に結合されるように構成され、
前記第２のグループのコネクタは、検知線の行の少なくともいくつかに並列に動作可能に結合されるように構成される、請求項１６に記載のタッチコントローラ。
【請求項２５】
前記機械可読命令は、前記プロセッサによって実行されるときに、前記プロセッサが、
第１のコネクタに関連付けられた第１のコネクタ割り当てに応答して、第１の検知信号に関連付けられた前記セグメント化センサの第１のセグメントを識別することと、
第２のコネクタに関連付けられた第２のコネクタ割り当てに応答して、第２の検知信号に関連付けられた前記セグメント化センサの第２のセグメントを識別することと、を行うことを可能にするように更に適合され、
前記第１のコネクタ及び前記第２のコネクタは、連続的に配置され、前記第１のセグメント及び前記第２のセグメントは、前記セグメント化センサの異なるセグメントである、請求項１６に記載のタッチコントローラ。
【発明の詳細な説明】
【技術分野】
【０００１】
（優先権の主張）
本出願は、２０１８年６月２９日に出願された米国仮特許出願第６２／６９２，３６３号の、「Ａ  Ｓｅｇｍｅｎｔｅｄ  Ｃａｐａｃｉｔｉｖｅ  Ｓｅｎｓｏｒ，ａｎｄ  Ｒｅｌａｔｅｄ  Ｓｙｓｔｅｍｓ，Ｍｅｔｈｏｄｓ  ａｎｄ  Ｄｅｖｉｃｅｓ」についての出願日の利益を主張し、かつ２０１８年１２月１１日出願された米国特許出願第１６／２１６，４１２号の、「Ａ  Ｓｅｇｍｅｎｔｅｄ  Ｃａｐａｃｉｔｉｖｅ  Ｓｅｎｓｏｒ，ａｎｄ  Ｒｅｌａｔｅｄ  Ｓｙｓｔｅｍｓ，Ｍｅｔｈｏｄｓ  ａｎｄ  Ｄｅｖｉｃｅｓ」についての出願日の利益を主張し、これらの各々の内容及び開示は、参照によりその全体が本明細書に組み込まれる。
【０００２】
（発明の分野）
本開示は、概して、静電容量センサに関し、より具体的には、特定の実施形態は、セグメント化センサ及びそれを使用するように構成された静電容量検知システムに関する。
【背景技術】
【０００３】
タッチを検出することができるディスプレイ（例えば、スマートフォン、タブレット、アプライアンスインタフェースなど）の上部の透明導電層として特徴付けられることがあるタッチスクリーンセンサは、典型的には、ｎ×ｍマトリクスとして表されることがある導電体の行／列グリッド（すなわち、導電性材料の電気的に絶縁された線）に配置される。一般に、これらの導体はセンサ線と称されてもよく、検知線として特徴付けられてもよい。各センサは、各軸上に、線の行及び線の列が終端する多数のコネクタを含んでもよい。このようなコネクタは、（例えば、ピンによって）外部からアクセス可能であり、例えば、タッチスクリーンセンサで検出されたタッチに関する情報を判定するように構成された取得回路及び処理回路を含むタッチコントローラに動作可能に結合されてもよい。
本開示は、特定の実施形態を具体的に指摘し明確に請求する特許請求の範囲をもって結論とするが、本開示の範囲内の実施形態の様々な特徴及び利点は、以下からより容易に確認され得る。
【図面の簡単な説明】
【０００４】
【図１Ａ】タッチスクリーンセンサとタッチコントローラとの間の従来の結合の簡略ブロック図を示す。
【図１Ｂ】タッチスクリーンセンサとコントローラとの間の従来の結合の別の簡略ブロック図を示す。
【図２】本開示の１つ以上の実施形態にかかる、セグメント化静電容量センサアーキテクチャの簡略ブロック図を示す。
【図３Ａ】本開示の１つ以上の実施形態にかかる、セグメント化静電容量センサを利用する静電容量検知システムの簡略ブロック図を示す。
【図３Ｂ】本開示の１つ以上の実施形態にかかる、セグメント化静電容量センサ（グリッドとして表される）における例示的なタッチを示す。
【図４Ａ】本開示の１つ以上の実施形態にかかる、セグメント化センサに対するタッチ処理プロセスのフローチャートを示す。
【図４Ｂ】本開示の１つ以上の実施形態にかかる、セグメント化センサに対するタッチ処理プロセスのフローチャートを示す。
【図５】本開示の１つ以上の実施形態にかかる、セグメント化センサと共に使用するように構成されたタッチコントローラの機能ブロック図を示す。
【発明を実施するための形態】
【０００５】
以下の詳細な説明では、本明細書の一部をなし、本開示を実施し得る具体的な例示的実施形態を例示として示す添付の図面を参照する。これらの実施形態は、当業者が本開示を実施することができるように十分に詳細に説明される。しかしながら、他の実施形態が利用されてもよく、本開示の範囲から逸脱することなく、構造、材料、及びプロセスの変更が行われ得る。
【０００６】
本明細書で提示される図は、任意の特定の方法、システム、デバイス、又は構造の実際の図であることを意図するものではなく、本開示の実施形態を説明するために用いられる理想化した表現にすぎない。本明細書で提示される図面は、必ずしも縮尺どおりに描画されていない。様々な図面における類似の構造又は構成要素は、読者の便宜のために同一又は類似の付番を保持し得る。しかしながら、付番における類似性は、構造又は構成要素が必ずしもサイズ、組成、構成、又は任意の他の特性において同一であることを意味するものではない。
【０００７】
本明細書で概して説明され、図面に例示される実施形態の構成要素は、多種多様な異なる構成で配置及び設計され得ることが容易に理解されるであろう。したがって、様々な実施形態の以下の説明は、本開示の範囲を限定することを目的とするものではなく、単に様々な実施形態を表すものである。実施形態の様々な態様が図面に提示され得るが、図面は、具体的に指示されていない限り、必ずしも縮尺どおりに描画されていない。
【０００８】
以下の説明は、当業者が開示される実施形態を実施することを可能にするのを補助するための実施例を含み得る。「例示的な」、「例として」、「例えば」という用語の使用は、関連する説明が、説明的なものであることを意味し、本開示の範囲は、実施例及び法的等価物を包含することを意図するものであり、かかる用語の使用は、実施形態又は本開示の範囲を特定の構成要素、ステップ、特徴、機能などに限定することを意図するものではない。
【０００９】
更に、図示及び説明する具体的な実装形態は、単なる例であり、本明細書において別段の指定がない限り、本開示を実施する唯一の方式と解釈されるべきでない。要素、回路、及び機能は、不要に詳述して本開示を不明瞭にしないように、ブロック図の形態で示され得る。逆に、図示され、説明される具体的な実装形態は、単に例示的なものであり、本明細書において別段の指定がない限り、本開示を実施する唯一の方式と解釈されるべきではない。更に、様々なブロック間での論理のブロック定義及びパーティショニングは、例示的な具体的な実装形態である。当業者には、本開示が多数の他のパーティショニングソリューションによって実施され得ることが容易に明らかになるであろう。大部分については、タイミングの考察などに関する詳細は省略されており、かかる詳細は、本開示の完全な理解を得るために必要ではなく、当業者の能力の範囲内である。
【００１０】
本明細書で説明される情報及び信号は、様々な異なる技術及び技法のいずれかを使用して表されてもよい。例えば、本明細書をとおして参照され得るデータ、命令、コマンド、情報、信号、ビット、記号、及びチップは、電圧、電流、電磁波、磁場若しくは磁性粒子、光場若しくは光学粒子、又はこれらの任意の組み合わせによって表されてもよい。いくつかの図面は、表示及び説明を明確にするために、単一の信号として信号を例示してもよい。当業者は、信号が信号のバスを表し得、このバスは様々なビット幅を有してもよく、本開示は、単一のデータ信号を含む任意の数のデータ信号で実施され得ると理解されたい。
【００１１】
「第１」、「第２」などの表記を使用した、本明細書の要素に対する任意の言及は、かかる制限が明示的に記載されていない限り、それらの要素の数量又は順序を限定しないと理解されたい。むしろ、これらの表記は、本明細書において、２つ以上の要素又は要素の例を区別する便利な方法として使用される。したがって、第１の要素及び第２の要素への言及は、２つの要素のみが用いられ得ること、又は何らかの方法で第１の要素が第２の要素に先行しなければならないことを意味するものではない。また、特に明記しない限り、一組の要素は、１つ以上の要素を含んでもよい。同様に、時には、単数形で言及される要素もまた、要素の１つ以上のインスタンスを含んでもよい。
【００１２】
本明細書に開示する実施形態に関連して記載する様々な例示的な論理ブロック、モジュール、及び回路は、汎用プロセッサ、専用プロセッサ、デジタル信号プロセッサ（Digital Signal Processor、ＤＳＰ）、特定用途向け集積回路（Application Specific Integrated Circuit、ＡＳＩＣ）、フィールドプログラマブルゲートアレイ（Field Programmable Gate Array、ＦＰＧＡ）若しくは他のプログラマブル論理デバイス、別個のゲート若しくはトランジスタ論理、別個のハードウェア構成要素、又は本明細書に記載の機能を実行するように設計されている、これらの任意の組み合わせを用いて実施され得る、又は実行され得る。汎用プロセッサ（本明細書では、ホストプロセッサ又は単にホストとも称され得る）は、マイクロプロセッサであってもよいが、代替的に、プロセッサは、任意の従来のプロセッサ、コントローラ、マイクロコントローラ、又は状態機械でもあってもよい。プロセッサはまた、ＤＳＰとマイクロプロセッサとの組み合わせ、複数のマイクロプロセッサ、ＤＳＰコアと組み合わせた１つ以上のマイクロプロセッサ、又は任意の他のかかる構成の組み合わせとして実装されてもよい。プロセッサを含む汎用コンピュータは専用コンピュータと見なされ、汎用コンピュータは、本開示の実施形態に関連するコンピューティング命令（例えば、ソフトウェアコード）を実行するように構成されている。
【００１３】
また、実施形態は、フローチャート、フロー図、構造図、又はブロック図として示すプロセスに関して説明され得ることを留意されたい。フローチャートは、順次プロセスとして動作行為を説明してもよいが、これらの行為の多くは、別の順序で、並行して、又は実質的に同時に実行されてもよい。加えて、行為の順序は再調整され得る。プロセスは、方法、スレッド、機能、手順、サブルーチン、サブプログラムなどに対応し得る。更に、本明細書で開示される方法は、ハードウェア、ソフトウェア、又はその両方において実装されてもよい。ソフトウェアで実装される場合、機能は、コンピュータ可読媒体上の１つ以上の命令又はコードとして記憶されてもよく、又は送信されてもよい。コンピュータ可読媒体は、コンピュータ記憶媒体及びコンピュータプログラムのある場所から別の場所への転送を容易にする任意の媒体など通信媒体の両方を含む。
【００１４】
本明細書で使用されるとき、所与のパラメータ、特性、又は条件に言及する際の「実質的に」及び「約」という用語は、所与のパラメータ、特性、又は条件が、許容可能な製造許容差の範囲内などのある程度のばらつきを満たすことを当業者が理解するであろう程度を意味し、かつ含む。例えば、実質的に特定の値であるか、又は約特定の値であるパラメータは、特定の値の少なくとも約９０％、特定の値の少なくとも約９５％、特定の値の少なくとも約９９％、又は更には特定の値の少なくとも約９９．９％であってもよい。
【００１５】
本開示で説明される実施形態を理解する目的で、タッチスクリーンセンサ、又は単に「センサ」は、センサの接触検知エリアとの物体（非限定的に、指、スタイラス、他の検出可能物体など）の接触、又はセンサの接触検知エリアへの物体の近接に応答してもよい。本開示では、「接触」及び「タッチ」は、接触検知エリアとの物体の物理的接触及び物理的に接触せずに接触検知エリアに近接する物体の存在の両方を包含することを意味している。センサとの実際の物理的接触は必要とされない。
【００１６】
物体がタッチスクリーンセンサに接触するときに、接触位置又はその付近のセンサ内で静電容量の変化が生じ得る。アナログ取得フロントエンドは、特定の閾値又は何らかの他の基準を満たす場合、タッチを「検出」してもよい。「荷電後転送（Charge-then-transfer）」は、静電容量変化を検出するために一部のタッチ取得フロントエンドにおいて実装される技法であり、それにより、検知コンデンサは、静電容量における変化に応答して荷電（例えば、より速く、又は遅く荷電）され、複数の転送サイクルにわたって電荷が積分コンデンサに転送される。このような荷電転送に関連付けられた電荷の量は、アナログデジタル変換器（ＡＤＣ）によってデジタル信号に変換されてもよく、デジタルコントローラは、物体がセンサに接触した場合、それらのデジタル信号を処理して測定値を決定してもよい。
【００１７】
自己静電容量センサは、グラウンドへの静電容量の変化を検出／変化に応答する静電容量電界センサである。これらは、典型的には、タッチに対して独立して反応する行及び列のアレイでレイアウトされる。非限定的な例によって、自己キャップ型センサは、浮動端子を有する共通の集積ＣＭＯＳプッシュプルドライバ回路を使用した繰り返し荷電後転送サイクルを採用する回路を含んでもよい。相互静電容量センサは、２つの電極（駆動電極及び検知電極）間の静電容量の変化を検出／変化に応答する静電容量電界センサである。駆動電極及び検知電極対は、駆動線と検知線とのそれぞれの交点にコンデンサを形成する。自己静電容量及び相互静電容量の配置及び／又は技法は、排他的に使用されてもよく、同じタッチセンサ及びコントローラにおいて使用されてもよく、互いに相補的であってもよく、例えば、自己静電容量を使用して、相互静電容量を使用して検出されたタッチを確認するように使用されてもよい。
【００１８】
タッチスクリーンセンサは、例えば、ディスプレイの接触検知面に組み込まれ得る２次元（２−Ｄ）接触検知面のための２−Ｄ配置に重ねられてもよく、関連アプライアンスとのユーザ相互作用を容易にし得る。絶縁保護層（例えば、樹脂、ガラス、プラスチックなど）を使用して、タッチセンサを覆ってもよい。本明細書で使用するとき、「タッチディスプレイ」は、タッチスクリーンセンサを組み込んでいるか、又は隣接するタッチスクリーンセンサと共に使用されるディスプレイ（液晶ディスプレイ（ＬＣＤ）、薄膜トランジスタ（ＴＦＴ）ＬＣＤ、又は発光ダイオード（ＬＥＤ）ディスプレイなど）である。
【００１９】
電荷転送技法を採用する相互静電容量センサのマトリクスセンサアプローチを使用するタッチスクリーンセンサの例を使用すると、駆動電極は、基板の一方の側の行に延在してもよく、検知電極は、基板の他方側の列に延在してもよく、Ｎ×Ｍノードの「マトリクス」アレイを画定するようにする。各ノードは、駆動電極の導電線と検知電極の導電線との交点に対応する。駆動電極は、所与の行内のノードの全てを同時に駆動し、検知電極は、所与の列内のノードの全てを検知する。駆動電極と検知電極の静電容量結合（相互静電容量）、又は検知電極とグラウンドの結合（自己静電容量）は、ノード位置で、タッチイベントを示す静電容量変化に応答して、別個に測定されてもよく、又は両方とも測定され得る。例えば、駆動信号が行２の駆動電極に印加され、列３の検知電極が活性である場合、ノード位置は、（行２，列３）である。ノードは、駆動電極及び検知電極の異なる組み合わせを介して順序付けることによって走査され得る。あるモードでは、駆動電極は、検知電極が全て連続的に監視されている間に順次駆動されてよい。別のモードでは、各検知電極が順次サンプリングされてもよい。
【００２０】
本開示のタッチスクリーンセンサは、ディスプレイと共に使用するための特定のアプリケーションを発見するが、これらはタッチディスプレイに限定されるものではなく、限定なく任意の接触検知面、例えば、タッチパッド及びタッチボタンに組み込まれてもよく、透明又は非透明であってもよい。
【００２１】
図１Ａは、本開示の発明者に既知のタッチスクリーンセンサとコントローラとの間の従来の結合の図である。タッチセンサ１００は、（行ピン１０２及び列ピン１０４によって示される）４つの行線毎に約５つの列線、又は５：４を有し、これは線間が等間隔となるように配置されたときに、センサ１００の幅がセンサの高さと実質的に同じであることを意味する。これはまた、「正常アスペクト比」を有するか、又は「正常アスペクト比」のアプリケーション、例えば、正常アスペクト比のディスプレイ若しくはタッチパッドのために構成されていると特徴付けられてもよい。通常、正常アスペクト比に関連付けられる別の比率は、３つの行線毎に４つの列線、又は４：３である。
【００２２】
図１Ｂは、本開示の発明者に既知のタッチスクリーンセンサとコントローラとの間の別の従来の結合の図である。タッチスクリーンセンサ１１０は、（それぞれピン１１４及びピン１１２によって示されるように）行の線よりも多くの列の線、又は列線対行線が５：１を有し、これは、線間が等間隔となるように配置されたときに、センサ１１０の幅がセンサの高さよりも長いことを意味する。これはまた、「広いアスペクト比」を有するか、又は「広いアスペクト比」のアプリケーション、例えば、広いアスペクト比のディスプレイのために構成されていると特徴付けられてもよい。本開示では、当業者の一般的な理解のように、長軸対短軸比が約２：１以上であるタッチスクリーンセンサが、広いアスペクト比と見なされる。
【００２３】
タッチスクリーンのタッチ処理の量は、タッチスクリーンの面積に大きく依存する。そのため、非限定的な例によって、２４×３０センサにおけるタッチに対するタッチ処理の量は、１２×６０センサにおけるタッチに対するタッチ処理の量と実質的に同一である。しかしながら、両方とも領域（特に、「領域」は、センサ線の交点によって画定されるノードの数として更に特徴付けられ得る）が７２０であっても、２４×３０センサ（約５４）におけるコネクタの数は、１２×６０センサ（約７２）におけるコネクタの数よりも少ない。そのため、図１Ａの２４×３０センサ１００及び図１Ｂの１２×６０センサ１１０は、タッチのためのタッチ処理の実質的に同じ量を使用するが、３０×２４（約１８以上のピン）のためのタッチコントローラ１３０よりも、１２×６０センサ１１０のためのタッチコントローラ１１６でより多くのピンが必要とされる。特に明記しない限り、本明細書におけるセンサの寸法を説明するときに、行×列の慣習が説明を容易にするために使用される。
【００２４】
一般に、タッチコントローラを異なる数のピンと比較するときに、より多くのピンを有するタッチコントローラはより大きくなり、より少ないピンを有するタッチコントローラよりも大きいチップを必要とし、対応するより高いコストが存在する。そのため、同じタッチ処理量に対して、静電容量タッチ検知システムにおける広いアスペクト比のセンサと共に使用される従来のタッチコントローラは、静電容量タッチ検知システムにおける標準アスペクト比のセンサと共に使用されるタッチコントローラよりも高価である。
【００２５】
本開示の発明者らは、そのようなアプリケーションに使用される従来の静電容量タッチセンサよりも少ないコネクタ及び処理能力を有する、広いアスペクト比のアプリケーションに好適な静電容量タッチセンサの必要性を理解する。このようなセンサの１つの利点は、センサと結合するタッチコントローラでより少ないピンが必要とされることであり、したがって、広いアスペクト比のアプリケーションの静電容量タッチ検知システムは、より高価なタッチコントローラを使用する従来の静電容量タッチ検知システムと比較して、より単純であり、より低コストの構成要素を含んでもよい。
【００２６】
したがって、本開示の１つ以上の実施形態は、概して、セグメント化された静電容量センサ（本明細書では単に「セグメント化センサ」と呼ぶことがある）に関する。図２は、２つの独立したセグメント２０２及び２０４を含むセグメント化センサ２００を示す。便宜上、限定としてではなく、２つのセグメントを「左セグメント」２０２及び「右セグメント」２０４と呼ぶことがある。図１に示す例では、各左セグメント２０２及び右セグメント２０４は、センサ２００の３つの縁部２０８、２１０、２１２及び２１４の各々の少なくとも一部による３つの辺、及び絶縁領域２０６によって第４の辺で画定される。この実施例では、一様な数のノードを有する左セグメント２０２及び右セグメント２０４が示されているが、本開示はそのように限定されるものではなく、１つ以上の実施形態では、多セグメントセンサのセグメントは、不均一なノードの数であってもよい（例えば、いくつかのセグメントは、他のセグメントとは異なる数のノードを有してもよい）ことが明確に企図される。更に、図２に示される例では、セグメント化センサ２００は２つのセグメント２０２及び２０４を有するが、本開示は２つのセグメントに限定されず、当業者であれば、本開示の実施形態が２つより多いセグメントに拡張可能であることを理解するであろう。実際に、セグメント化されたセンサは、２つより多いセグメントを含んでもよいことが具体的に企図される。
【００２７】
絶縁領域２０６は、左セグメント２０２及び右セグメント２０４を電気的に絶縁するように構成されている。１つ以上の実施形態では、絶縁領域２０６の少なくとも一部は、絶縁材料で充填されてもよく、電気的絶縁を提供する空隙、又はこれらの組み合わせであってもよい。絶縁領域２０６は、セグメント化センサ２００を２つの等しい半分に実質的に分割し、左セグメント２０２及び右セグメント２０４の各々は、セグメント化センサ２００の実質的に半分として特徴付けられてもよい。１つ以上の実施形態では、左セグメント２０２及び右セグメント２０４の各々は、アクティブ部分、及び任意選択的に非アクティブ部分を含んでもよく、アクティブ部分は、概して、静電容量検知のためのセンサ線として構成されている。
【００２８】
１つ以上の実施形態では、絶縁領域２０６は、長軸センサ線（図示せず）を長軸センサ線の方向に対して実質的に垂直に切断することによって形成されてもよい。切断されると、左セグメント２０２の長軸センサ線及び右セグメント２０４の長軸センサ線は、独立して動作する。非限定的な例として、左セグメント２０２におけるタッチ全体は、左セグメント２０２で検出され、右セグメント２０４で検出されない。換言すれば、右セグメント２０４における測定可能に関連する静電容量効果は、左セグメント２０２におけるタッチに応答して実現されない。
【００２９】
左セグメント２０２及び右セグメント２０４の各々はまた、セグメントのそれぞれの第１の縁部及びそれぞれの第２の縁部に沿って位置付けられた多数のコネクタを含んでもよい。左セグメント２０２は、長軸コネクタ２１６及び短軸コネクタ２１８を含む。右セグメント２０４は、長軸コネクタ２２０及び短軸コネクタ２２２を含む。短軸コネクタ２１８及び短軸コネクタ２２２は、セグメント化センサの同じ縁部、ここでは縁部２１２に対応する辺に配置されてもよい。長軸コネクタ２１６及び長軸コネクタ２２０は、それぞれセグメント化センサの異なる縁部、ここでは縁部２１０及び縁部２１４に対応する辺に配置されてもよい。１つ以上の実施形態では、セグメント化センサ２００の左セグメント２０２及び右セグメント２０４の各々は、同じ数のコネクタを有する。センサコネクタ、例えば、コネクタ２１６、２１８、２２０、及び２２２は、１つ以上の実施形態において、導電性ピンであってもよい。
【００３０】
図３Ａに示すように、１つ以上の実施形態は、概して、タッチコントローラ３３０に動作可能に結合されたセグメント化センサ３０２を含む静電容量検知システム３００に関する。左セグメント３０４及び右セグメント３０６のコネクタは、タッチコントローラ３３０の入出力（Ｉ／Ｏ）コネクタに動作可能に結合されてもよい。１つ以上の実施形態では、Ｉ／Ｏコネクタは、限定することなく、例えば、導電性ピン、導電性接着剤、又は他の好適な導電性材料であってもよい。
【００３１】
左セグメント３０４及び右セグメント３０６の長軸センサ線のコネクタ３０８及び３１２は、それぞれ、タッチコントローラ３３０の独立したコネクタ３３２及び３３４に動作可能に結合されてもよい。左セグメント３０４及び右セグメント３０６の短軸センサ線の短軸コネクタ３１０及び３１４の一部又は全ては、タッチコントローラ３３０のコネクタ３３６に並列に動作可能に結合されてもよい。左セグメント３０４の短軸コネクタ３１０及び右セグメント３０６の短軸コネクタ３１４は、タッチコントローラ３３０のコネクタ３３６に並列に動作可能に結合され、左セグメント３０４の少なくとも１つの短軸コネクタ３１０及び右セグメント３０６の少なくとも１つの短軸コネクタ３１４は、タッチコントローラ３３０の同じコネクタ３３６に動作可能に結合される。
【００３２】
１つ以上の実施形態では、タッチコントローラの同じコネクタに動作可能に結合されたセンサの検知線は、本明細書では「並列に動作可能に結合」と呼ばれてもよく、それらが動作可能に結合されるコントローラにおけるコネクタは、本明細書では「並列コネクタ」と呼ばれることがある。タッチコントローラのコネクタに動作可能に結合され、他の検知線が同じコネクタに動作可能に結合されていないセンサの検知線は、本明細書では、コネクタに「独立して動作可能に結合」と呼ばれてもよく、タッチコントローラにおけるコネクタは、本明細書では「独立したコネクタ」と呼ばれることがある。
【００３３】
本開示の１つ以上の実施形態では、センサ線（長軸及び短軸）間のコネクタとタッチコントローラのコネクタには、特定の順序が必要とされない。例えば、連続したセンサ線は、タッチコントローラの非連続的（すなわち、隣接していない）コネクタに動作可能に結合されてもよく、これはまた、タッチコントローラにおける「センサ線接続を「インターリーブ」することとして特徴付けられてもよい。
【００３４】
１つ以上の実施形態は、概して、セグメント化センサに動作可能に結合された１つ以上のタッチコントローラを含む静電容量検知システムに関する。一実施形態では、セグメント化センサから受信したセンサ信号の処理は、２つ以上のタッチコントローラによって処理されてもよい。任意の好適な技法を使用して、タッチコントローラ間の処理を、非限定的に、セグメントにより、センサコネクタにより、タッチの種類（例えば、単一、マルチ、力など）、及びこれらの組み合わせにより分けてもよい。
【００３５】
１つ以上の実施形態は、概して、左セグメントからの検知信号と、右セグメントからの検知信号、本明細書ではそれぞれ、左検知信号と、右検知信号と呼ばれることがあるものを区別するように構成されたタッチコントローラに関する。
【００３６】
図３Ｂは、本開示の１つ以上の実施形態にかかる、セグメント化されたセンサ線を有するセンサ線グリッド３４０の図である。１つ以上の実施形態では、センサ線グリッド３４０は、センサ３０２（図３Ａ）などの広いアスペクト比のアプリケーションのために構成されてもよく、長軸センサ線３４２（行１〜行１２）の行と、短軸センサ線３４４の列（列１〜列６０）とを含む。非アクティブ領域３５０は、センサ線グリッド３４０を分割し、センサ線グリッド３４０．の左セグメント３４６及び右セグメント３４８を画定する。説明目的のために、タッチイベントに関連付けられた右セグメント３４８の位置３５２における静電容量変化が示されている。
【００３７】
一実施形態では、タッチコントローラ３３０（図３Ａ）は、相互静電容量検知技法で使用される１つ以上の駆動信号に応答して、タッチコントローラ３３０の並列コネクタにおいて、左検知信号と右検知信号とを区別するように構成されたタッチプロセッサ（図示せず）を含んでもよい。より具体的には、検知信号がタッチプロセッサによって受信されるときに、タッチプロセッサは、検知信号が左セグメント駆動信号に対応するか、又は右セグメント駆動信号に対応するかを判定するように構成されてもよい。一実施形態では、タッチプロセッサは、検知信号が、相互静電容量検知動作の第１の検知期間中に受信される場合、検知信号が左セグメント駆動信号に対応すると判定し、検知信号が、相互静電容量検知動作の第２の検知期間中に受信される場合、検知信号が右セグメント駆動信号に対応すると判定してもよい。より具体的には、相互静電容量検知動作は、検知間隔にわたって発生してもよく、その検知間隔は、第１の検知期間及び第２の検知期間を含んでもよい。第１の検知期間は、左又は右セグメントのうちの一方に関連付けられてもよく、第２の検知期間は、他方のセグメントと関連付けられてもよい。検知間隔は、検知動作と関連付けられてもよい。
【００３８】
別の実施形態では、検知間隔は、多くの検知期間、１つのセグメントに関連付けられた検知期間の一部、及び他のセグメントに関連付けられた他の検知期間を含んでもよい。セグメントに関連付けられた検知期間は、連続しても、していなくてもよく、例えば、検知間隔が４つの検知期間（Ｐ１〜Ｐ４）を有し、各セグメントの検知線の４つのグループのうちの１つが、それぞれの検知期間、例えば、Ｐ１（Ｌ１及びＲ４）、Ｐ２（Ｌ２及びＲ３）、Ｐ３（Ｌ３及びＲ２）、及びＰ４（Ｌ４及びＲ１）に関連付けられる。また、各セグメントに対するグループ検知線は、並列にタッチコントローラに動作可能に結合される（例えば、非限定的に、Ｌ１及びＲ１は並列に動作可能に結合され、Ｌ２及びＲ２は、並列に動作可能に結合される）と仮定する。検知線のグループは、各検知期間中に同時に、及びほぼ同時に検知されてもよい。すなわち、Ｌ１及びＲ４は、同時に検知されてもよく、Ｌ２及びＲ３は、同時に検知されてもよいなどである。この構成では、タッチプロセッサは、検知期間及び検知線のグループに関連付けられたコネクタに基づいて、左セグメントと右セグメントとを区別してもよい。
【００３９】
１つ以上の実施形態では、検知間隔及び検知期間は、時間の観点から、非限定的に、駆動線（例えば、最初に駆動される駆動線〜最後に駆動される駆動線）、動作数を含む、任意の好適な技法を使用して測定可能であり得る。
【００４０】
図４Ａは、本開示の１つ以上の実施形態にかかる、セグメント化センサに対するタッチ処理プロセス４００のフローチャートを示す。動作４０２では、タッチコントローラの並列結合コネクタに関連付けられて１つ以上の検知信号が受信される。動作４０４では、検知信号のタイミング情報は、検知動作の１つ以上の時間期間と比較される。時間期間は、タッチセンサにおいてアサートされた駆動信号に関連付けられてもよい。動作４０６では、センサセグメントが比較に応答して識別される。センサセグメントは、左セグメント又は右セグメントのうちの１つであってもよい。動作４０８では、センサ位置が、識別されたセンサセグメント及び検知信号に応答して識別されたセグメント位置に応答して判定される。別の実施形態では、センサ位置は、識別されたセンサセグメント及び検知信号に応答して判定されてもよい。
【００４１】
本開示における「駆動線」及び／又は「検知線」という用語の使用は、具体的に示されない限り、自己静電容量又は相互静電容量などの静電容量検知のための特定の技法を必要とすることを目的としていない。
【００４２】
しかしながら、いくつかの例では、駆動線又は検知線は、必要条件ではない長軸線及び短軸線に関連付けられる。駆動線は短軸線に関連付けられてもよく、センス線は長軸線に関連付けられてもよい。
【００４３】
別の実施形態では、タッチコントローラは、自己静電容量検知動作中に受信された検知信号に応答して、左検知信号と、乗車検知信号とを区別するように構成されたタッチプロセッサ（図示せず）を含む。自己静電容量検知中、タッチプロセッサは、典型的には、１つ以上の長軸センサ線及び１つ以上の短軸センサ線から、検知信号を受信する。タッチプロセッサは、検知信号が、短軸センサ線から受信した検知信号に応答して、左セグメント又は右セグメントに対応するかどうかを判定するように構成されてもよい。より具体的には、タッチプロセッサは、検知信号が、１つ以上の長軸センサ線に関連付けられた１つ以上のピンにおいて受信されると判定するように構成されてもよい。
【００４４】
図４Ｂは、本開示の１つ以上の実施形態にかかる、セグメント化センサに対するタッチ処理プロセス４１０のフローチャートを示す。動作４１２では、タッチコントローラの並列結合コネクタに関連付けられて検知信号が受信される。動作４１４では、受信された検知信号に応答してコネクタ割り当て情報が判定される。一実施形態では、コネクタ割り当て情報は、センサセグメントのコネクタ（したがって検知線）に動作可能に結合されたコントローラのコネクタを識別してもよい。任意の適切なレベルの精度が使用されてもよく、例えば、コネクタ割り当て情報は、コネクタ／検知レベル及び／又はコネクタ／セグメントレベルにおける結合を説明してもよい。例えば、コネクタ割り当て情報は、タッチコントローラの１つ以上のコネクタを、第１のセグメント、第２のセグメント、又は両方のセグメントに関連付けてもよい（例えば、並列接続の場合）。
【００４５】
動作４１６では、判定されたコネクタ割り当て情報に応答してセグメントが識別される。一実施形態では、セグメントは、コネクタ割り当て情報によって検索可能であり、検索されたコネクタ割り当て情報に応答してセグメント識別子を返すルックアップテーブルに応答して識別されてもよい。動作４１８では、識別されたセグメント及び検知信号に応答してセンサ位置が判定される。一実施形態では、セグメント位置は、検知信号に応答して識別されてもよく、センサ位置は、識別されたセグメント及び識別されたセグメント位置に応答して識別されてもよい。
【００４６】
タッチプロセッサの構成に応じて、タッチの位置情報は、左セグメント又は右セグメントについて判定されてもよいが、セグメント化センサについて決定された位置を全体として調整するために更なる処理が必要とされる。例えば、タッチが右セグメント３４８の中心に対応するが、タッチコントローラのコネクタのうちのいくつかにおける並列接続により、タッチが位置３５２（図３Ａ）で識別される場合、タッチプロセッサは、位置が実際にはセンサの右３分の１にあり、右セグメント３４８．の中心ではないことを「実現」しないことがある。１つ以上の実施形態では、位置は、タッチが発生したセグメント及び検知信号に基づいて最初に判定されるときに、補正されてもよい。例えば、セグメント化センサの行１０列２５又は行１０列５５に対応し得る検知信号が受信された場合、タッチプロセッサは、セグメントを判定した後に列を判定してもよい。１つ以上の他の実施形態では、タッチプロセッサは、セグメント化タッチセンサ上の位置とタッチセンサの左又は右セグメント上の位置との間の差を示す１つ以上の位置オフセットを含んでもよい。タッチプロセッサは、セグメント位置及びそのセグメント位置に関連付けられたオフセットに応答してセグメント化されたセンサ位置を決定するように構成されてもよい。
【００４７】
図５は、本開示の１つ以上の実施形態にかかるタッチコントローラ５００の機能ブロック図を示す。一実施形態では、タッチコントローラ５００は、タッチプロセッサ５０６、Ｉ／Ｏドライバ５０４及び周辺インターフェース５０２を含んでもよい。タッチプロセッサ５０６は、検知信号（場合によっては、駆動信号）を含む検知動作の１つ以上の態様を行い、非限定的に、タッチに関連付けられたセンサ及びセグメント位置を含むタッチ情報を判定するように構成されてもよい。Ｉ／Ｏドライバ５０４は、タッチコントローラ５００の汎用入力出力ピンを含むがこれらに限定されない１つ以上のコネクタを制御するように構成されてもよい。コネクタは、静電容量センサ線に動作可能に結合されるように構成されてもよい。周辺インターフェース５０２は、ＵＡＲＴ、ＵＳＡＲＴ、Ｉ2Ｃなどのデータバスと通信するか、又はそれを介して通信するように構成されてもよい。
【００４８】
本明細書における機能説明の多くは、それらの実装独立性をより具体的に強調するために、モジュール、スレッド、ステップ又はファームウェアを含むプログラミングコードの他のセグリゲーションとして図示、説明、又は標識化されてもよい。モジュールは、ある形態又は別の形態で、少なくとも部分的にハードウェアに実装されてもよい。例えば、モジュールは、カスタムＶＬＳＩ回路又はゲートアレイ、ロジックチップ、トランジスタ、又は他の別個の構成要素などの既製の半導体を含むハードウェア回路として実装されてもよい。モジュールはまた、フィールドプログラマブルゲートアレイ、プログラマブルアレイ論理、プログラマブル論理デバイスなどプログラマブルハードウェアデバイスに実装されてもよい。
【００４９】
モジュールはまた、様々な種類のプロセッサによる実行のために、物理記憶デバイス（例えば、コンピュータ可読媒体）、メモリ（例えば、システムメモリとして使用される非一時的記憶デバイス）、又はそれらの組み合わせに記憶されたソフトウェア又はファームウェアを使用して実装されてもよい。
【００５０】
実行可能コードの識別されたモジュールは、例えば、例えば、スレッド、オブジェクト、プロシージャ、又は関数として編成され得るコンピュータ命令の１つ以上の物理ブロック又は論理ブロックを含んでもよい。それにもかかわらず、実行可能な識別されたモジュールは、物理的に一緒に位置付けられる必要はないが、論理的に一緒に結合されたときにモジュールを含み、モジュールの規定の目的を達成する、異なる位置に記憶された異なる命令を含んでよい。
【００５１】
実際に、実行可能コードのモジュールは、単一の命令、又は多くの命令であってもよく、異なるプログラムの間のいくつかの異なるコードセグメントにわたって、またいくつかの記憶装置又はメモリデバイスにわたって分散されてもよい。同様に、動作データは、モジュール内で識別され、本明細書に例示されてもよく、任意の好適な形態で具現化され、任意の好適な種類のデータ構造内で編成されてもよい。動作データは、単一のデータセットとして収集されてもよく、又は異なる記憶デバイスにわたって異なる位置に分散されてもよく、少なくとも部分的には、単にシステム又はネットワーク上の電子信号として存在してもよい。モジュール又はモジュールの一部分がソフトウェアに実装される場合、このソフトウェア部分は、本明細書でコンピュータ可読媒体と称される１つ以上の物理デバイスに記憶される。
【００５２】
いくつかの実施形態では、このソフトウェア部分は、このソフトウェア部分又はその表現がある期間にわたって同一の物理的位置に存続するように、非一時的状態で記憶される。更に、いくつかの実施形態では、このソフトウェア部分は、非一時的状態及び／又はこのソフトウェア部分を表す信号を記憶することができるハードウェア要素を含む１つ以上の非一時的記憶デバイスに記憶される。ただし、非一時的記憶デバイスの他の部分は、信号の変更及び／又は送信を実行し得る。非一時的記憶デバイスの例としては、フラッシュメモリ及びランダムアクセスメモリ（random-access-memory、ＲＡＭ）が挙げられる。非一時的記憶デバイスの別の例としては、ある期間にわたって、このソフトウェア部分を表す信号及び／又は状態を記憶できるリードオンリーメモリ（read-only memory、ＲＯＭ）が挙げられる。しかしながら、信号及び／又は状態を記憶する能力は、記憶された信号及び／又は状態と同一である、又はこれらを表す信号を送信する更なる機能によって低下しない。例えば、プロセッサは、対応するソフトウェア命令を実行するために、ＲＯＭにアクセスして記憶された信号及び／又は状態を表す信号を取得し得る。
【００５３】
本開示において、「典型的な」、「従来の」、又は「既知の」とされるものの特徴評価は、先行技術で開示されていること、又は前述の態様が先行技術で認識されていることを必ずしも意味しない。関連分野において、広く知られているか、十分理解されているか、又は日常的に使用されていることを必ずしも意味しない。
【００５４】
本開示は、特定の例示される実施形態に関して本明細書に記載されているが、当業者は、本発明がそのように限定されないことを認識し、理解するであろう。むしろ、以下にそれらの法的等価物と共に特許請求されるような本発明の範囲から逸脱することなく、例示され、説明される実施形態に対して数多くの追加、削除、及び修正を行うことができる。加えて、一実施形態の特徴は、本発明者によって想到されるように、別の開示した実施形態の特徴と組み合わせることができるが、それでも、本開示の範囲内に包含される。
【００５５】
本開示の更なる非限定的な実施形態は、以下のとおりである。
実施形態１：静電容量検知システムであって、検知線の行及び検知線の列を含むセグメント化センサと、セグメント化センサに動作可能に結合された１つ以上のタッチコントローラと、を備える、システム。
【００５６】
実施形態２：１つ以上のタッチコントローラのうちの１つのタッチコントローラは、第１のグループのコネクタ及び第２のグループのコネクタを備え、検知線の列は、第１のグループのコネクタに独立して動作可能に結合され、検知線の列のうちの少なくともいくつかは、第２のグループのコネクタに並列に動作可能に結合される、実施形態１に記載のシステム。
【００５７】
実施形態３：第１のグループのコネクタのうちのいくつかのコネクタは、セグメント化センサの第１のセグメントに関連付けられ、第１のグループのコネクタのうちの他のコネクタは、セグメント化センサの第２のセグメントに関連付けられる、実施形態１及び２のいずれかに記載のシステム。
【００５８】
実施形態４：第２のグループのコネクタのいくつかのコネクタは、セグメント化センサの第１のセグメントに関連付けられ、セグメント化センサの第２のセグメントに関連付けられる、実施形態１〜３のいずれかに記載のシステム。
【００５９】
実施形態５：第１のセグメントは、セグメント化センサのセンサ線の行のうちの検知線の第１の行を含み、第２のセグメントは、セグメント化センサのセンサ線の行のうちの検知線の第２の行を含み、検知線の第１の行は、検知線の第２の行から電気的に絶縁される、実施形態１〜４のいずれかに記載のシステム。
【００６０】
実施形態６：１つ以上のタッチコントローラのうちの１つのタッチコントローラは、第１のグループのコネクタ及び第２のグループのコネクタを備え、検知線の行は、第１のグループのコネクタに独立して動作可能に結合され、検知線の列のうちの少なくともいくつかは、第２のグループのコネクタに並列に動作可能に結合される、実施形態１〜５のいずれかに記載のシステム。
【００６１】
実施形態７：検知線の行及び検知線の列は、タッチセンサに非連続的に結合される、実施形態１〜６のいずれかに記載のシステム。
【００６２】
実施形態８：システムは、相互静電容量検知のために構成される、実施形態１〜７のいずれかに記載のシステム。
【００６３】
実施形態９：システムは、自己静電容量検知のために構成される、実施形態１〜８のいずれかに記載のシステム。
【００６４】
実施形態１０：静電容量センサであって、センサ線の第１のガードと、センサ線の第２のグリッドと、センサ線の第１のグリッドとセンサ線の第２のグリッドとの間に画定された絶縁領域と、を含む、静電容量センサ。
【００６５】
実施形態１１：絶縁領域の少なくとも一部は、空隙を画定する、実施形態１０に記載の静電容量センサ。
【００６６】
実施形態１２：絶縁領域の少なくとも一部は、電気絶縁材料を含む、実施形態１０及び１１のいずれかに記載の静電容量センサ。
【００６７】
実施形態１３：更に、第１のグリッドの１つ以上のセンサ線に動作可能に結合された第１のコネクタと、第２のグリッドの１つ以上のセンサ線に動作可能に結合された第２のコネクタと、を備える、実施形態１０〜１２のいずれかに記載の静電容量センサ。
【００６８】
実施形態１４：センサ線の第１のグリッドは、センサ線の第１の行及びセンサ線の第１の列を含み、センサ線の第２のグリッドは、センサ線の第２の行及びセンサ線の第２の列を含む、実施形態１０〜１４のいずれかに記載の静電容量センサ。
【００６９】
実施形態１５：少なくともセンサ線の第１の列は、センサ線の第２の行から電気的に絶縁されている、実施形態１０〜１４のいずれかに記載の静電容量センサ。
【００７０】
実施形態１６：タッチコントローラであって、タッチコントローラは、プロセッサと、非一時的記憶媒体と、を含み、非一時的記憶媒体は、非一時的記憶媒体に記憶された機械可読命令を有し、機械可読命令は、プロセッサによって実行されるときに、プロセッサが、１つ以上の検知信号に応答してタッチ位置情報を判定することであって、タッチ位置情報は、セグメント化センサにおける位置に対応する、判定することを可能にするように適合される、タッチコントローラ。
【００７１】
実施形態１７：機械可読命令は、プロセッサによって実行されるときに、プロセッサが、セグメント化センサの第１のセグメントに関連付けられた第１の検知信号と、セグメント化センサの第２のセグメントに関連付けられた第２の検知信号とを区別することを可能にするように更に適合される、実施形態１６に記載のタッチコントローラ。
【００７２】
実施形態１８：コネクタを更に備え、機械可読命令は、プロセッサによって実行されるときに、プロセッサが、コネクタの第１のグループをセグメント化センサの第１のセグメントと関連付け、コネクタの第２のグループをセグメント化センサの第２のセグメントと関連付けることを可能にするように更に適合される、実施形態１６及び１７のいずれかに記載のタッチコントローラ。
【００７３】
実施形態１９：機械可読命令は、プロセッサによって実行されるときに、プロセッサが、第１のグループのコネクタのうちのいくつかのコネクタを、セグメント化センサの第１のセグメントと第２のセグメントの両方と関連付けることを可能にするように更に適合される、実施形態１６〜１８のいずれかに記載のタッチコントローラ。
【００７４】
実施形態２０：機械可読命令は、プロセッサによって実行されるときに、プロセッサが、コネクタ割り当てに応答して、１つ以上の検知信号のうちの１つの検知信号を、セグメント化センサの第１のセグメント又はセグメント化センサの第２のセグメントと関連付けることであって、コネクタ割り当ては、第１のセグメント又は第２のセグメントの検知線に個別に動作可能に結合されるように構成されたコネクタのためのものである、関連付けることを可能にするように更に適合される、実施形態１６〜１９のいずれかに記載のタッチコントローラ。
【００７５】
実施形態２１：機械可読命令は、プロセッサによって実行されるときに、プロセッサが、コネクタ割り当てに応答して、１つ以上の検知信号のうちの１つの検知信号を、セグメント化センサの第１のセグメント又はセグメント化センサの第２のセグメントと関連付けることであって、コネクタ割り当ては、第１のセグメントの検知線及び第２のセグメントの検知線に並列に動作可能に結合されるように構成されたコネクタのためのものである、関連付けることを可能にするように更に適合される、実施形態１６〜２０のいずれかに記載のタッチコントローラ。
【００７６】
実施形態２２：機械可読命令は、プロセッサによって実行されるときに、プロセッサが、１つ以上の検知信号に関連付けられたセグメント化センサのセグメントに応答して、タッチ位置情報を変更することを可能にするように更に適合される、実施形態１６〜２１のいずれかに記載のタッチコントローラ。
【００７７】
実施形態２３：タッチ位置情報を変更することは、タッチ位置情報に関連付けられたセグメント化センサのセグメントを判定することと、セグメントに応答してオフセットを判定することと、判定されたオフセットに応答して、調整されたタッチ位置を判定することと、を含む、実施形態１６〜２２のいずれかに記載の方法。
【００７８】
実施形態２４：タッチコントローラは、第１のグループのコネクタ及び第２のグループのコネクタと、を含み、第１のグループのコネクタは、検知線の列に動作可能に結合されるように構成され、第２のグループのコネクタは、検知線の行の少なくともいくつかに並列に動作可能に結合されるように構成される、実施形態１６〜２３のいずれかに記載のタッチコントローラ。
【００７９】
実施形態２５：機械可読命令は、プロセッサによって実行されるときに、プロセッサが、第１のコネクタに関連付けられた第１のコネクタ割り当てに応答して、第１の検知信号に関連付けられたセグメント化センサの第１のセグメントを識別することと、第２のコネクタに関連付けられた第２のコネクタ割り当てに応答して、第２の検知信号に関連付けられたセグメント化センサの第２のセグメントを識別することと、を行うことを可能にするように更に適合され、第１のコネクタ及び第２のコネクタは、連続的に配置され、第１のセグメント及び第２のセグメントは、セグメント化センサの異なるセグメントである、実施形態１６〜２４のいずれかに記載のコネクタ。
【図１Ａ】
2021530772.tif 000003
【図１Ｂ】
2021530772.tif 000004
【図２】
2021530772.tif 000005
【図３Ａ】
2021530772.tif 000006
【図３Ｂ】
2021530772.tif 000007
【図４Ａ】
2021530772.tif 000008
【図４Ｂ】
2021530772.tif 000009
【図５】
2021530772.tif 000010
【国際調査報告】
2021530772.tif 000011
2021530772.tif 000012